(57)【要約】【目的】搬送車の着脱が容易に行なえ、入浴者の移送が簡単確実にでき、軽微な労力で入浴を介助できる入浴装置を提供することにある。【構成】載部４と台車部５が分離可能な搬送車２を昇降移送する入浴リフト３において、入浴リフト３のリフト台部８に搬送車２を固定する係留機構部１３は、台車部５に設けられた被係留部２２とリフト台部８に設けられ被係留部２２に係留される係留部２１とからなり、入浴リフト３で載部４を上昇させるとこの動作に連動して、台車部５がリフト台部８に係留されることを特徴とする入浴装置である。【選択図】　　　図１
2004097480.tif 000002
【特許請求の範囲】
【請求項１】
入浴者を載せ台車部（５）から分離して入浴する載部（４）と、該載部（４）に合体して浴室（１）床を走行する台車部（５）との少なくとも２分割構造でなる入浴用の分離式搬送車（２）と、
台車部（５）をリフト台部（８）に係留し且つ入浴者の載る載部（４）を移送部（６）に装着して、浴室（１）床と浴槽（５７）間を移動し入浴させる入浴リフト（１）とでなる入浴装置であって、
搬送車（２）を入浴リフト（１）の所定位置に導入し押し当てると、台車部（５）とリフト台部（８）との係留機構部（１３）が機能し、軽度な保持力で台車部（５）を所定位置に保持し、搬送車（２）を入浴リフト（１）から離脱可能に保持する仮係留状態とすることが可能であることを特徴とする入浴装置。
【請求項２】
入浴者を載せ台車部（５）から分離して入浴する載部（４）と、該載部（４）に合体して浴室（１）床を走行する台車部（５）との少なくとも２分割構造でなる入浴用の分離式搬送車（２）と、
台車部（５）をリフト台部（８）に係留し且つ入浴者の載る載部（４）を移送部（６）に装着して、浴室（１）床と浴槽（５７）間を移動し入浴させる入浴リフト（１）とでなる入浴装置であって、
移送部（６）の昇降作動によって、装着した載部（４）を昇降させると載部（４）が台車部（５）上に分離・載置すると共に、載部（４）の昇降作動に連動して、リフト台部（８）と台車部（５）間の係留機構部（１３）の固定係留機能（９４）が機能し、仮係留状態にある台車部（５）が更に強固に保持される固定係留状態に係脱することを特徴とする入浴装置。
【請求項３】
入浴者を載せ台車部（５）から分離して入浴する載部（４）と、該載部（４）に合体して浴室（１）床を走行する台車部（５）との少なくとも２分割構造でなる入浴用の分離式搬送車（２）と、
台車部（５）をリフト台部（８）に係留し且つ入浴者の載る載部（４）を移送部（６）に装着して、浴室（１）床と浴槽（５７）間を移動し移動させる入浴リフト（１）とでなる入浴装置であって、
載部（４）を台車部（５）に止着する合体機構部（１２）は、入浴リフト（１）の所定位置にドッキングされ係留された状態のみでは、分離不可能な状態に固結されているが、装着機能部（９）を操作し載部（４）を移送部（６）に係止させる作動に連動して、合体機構部（１２）の固結が開放され、載部（４）が台車部（５）から離脱可能となることを特徴とする入浴装置。
【発明の詳細な説明】
【０００１】
【産業上の利用分野】
本発明は、身体障害者や養護老人等（以下入浴者という）の分離式車椅子での入浴を介助するための入浴装置に関する。
【０００２】
【従来の技術】
従来の技術として特許３１６７５８５号公報に、走行部と、椅子部本体と、入浴用車椅子と、入浴用車椅子ストッパ機構と、基台と、被係止用ロッドと、係止部材と、付勢部材と、操作部とを構成部材とする入浴用車椅子ストッパ機構が開示されている。
【０００３】
【発明が解決しようとする課題】
前記従来技術には、分離した走行部が移動しないように基台に固定できるので、介助者等が走行部を位置合わせするといった面倒な作業を行なう必要はないという効果があるが、入浴用車椅子を基台にドッキング及び解除を行なう度に基台についたレバーを操作する必要があるためドッキング操作が面倒になる、また、搬送車をドッキング位置に待機させたとき、レバー操作を行なうまで搬送車がロックされないため、床勾配等により搬送車が動く可能性がある、等の欠点がある。
【０００４】
本発明の目的は、従来の欠点を解決したもので、搬送車の着脱が容易に行なえ、入浴者の移送が簡単確実にでき、軽微な労力で入浴を介助できる入浴装置を提供することにある。
【０００５】
【課題を解決するための手段】
即ち本発明は、入浴者を載せ台車部（５）から分離して入浴する載部（４）と、該載部（４）に合体して浴室（１）床を走行する台車部（５）との少なくとも２分割構造でなる入浴用の分離式搬送車（２）と、台車部（５）をリフト台部（８）に係留し且つ入浴者の載る載部（４）を移送部（６）に装着して、浴室（１）床と浴槽（５７）間を移動し入浴させる入浴リフト（１）とでなる入浴装置であって、搬送車（２）を入浴リフト（１）の所定位置に導入し押し当てると、台車部（５）とリフト台部（８）との係留機構部（１３）が機能し、軽度な保持力で台車部（５）を所定位置に保持し、搬送車（２）を入浴リフト（１）から離脱可能に保持する仮係留状態とすることを特徴とする入浴装置である。
又、移送部（６）の昇降作動によって、装着した載部（４）を昇降させると載部（４）が台車部（５）上に分離・載置すると共に、載部（４）の昇降作動に連動して、リフト台部（８）と台車部（５）間の係留機構部（１３）の固定係留機能（９４）が機能し、仮係留状態にある台車部（５）が更に強固に保持される固定係留状態に係脱する。
更に又、載部（４）を台車部（５）に止着する合体機構部（１２）は、入浴リフト（１）の所定位置にドッキングされ係留された状態のみでは、分離不可能な状態に固結されているが、装着機能部（９）を操作し載部（４）を移送部（６）に係止させる作動に連動して、合体機構部（１２）の固結が開放され、載部（４）が台車部（５）から離脱可能となる。
【０００６】
【作用】
浴槽５７に隣接して設置された本発明の入浴リフト３を用いて、入浴者を入浴させる。
搬送車２は、入浴時に台車部５と入浴者の載る載部４とが分離する。
【０００７】
入浴リフト３は、入浴者を乗せた載部４を装着し、浴槽５７に移送して入浴させる。
【０００８】
仮係留機能（９３）は、入浴リフト３のリフト台部８に搬送車２を固定する。台車部５に係留金具２６が設けられ、該係留金具２６は、仮係留ばね２８で回転付勢される。係留金具２６に形成される保持部３０は、仮係留ばね２８で回転付勢される。
リフト台部８に設けられる係留ロッド３２は、仮係留ばね２８で回転付勢された係留金具２６の保持部３０に当接する。
【０００９】
リフト台部８に向けて台車部５を押し当てると、係留ロッド３２を保持部３０が囲い、係留金具２６が係留ロッド３２を保持し、結果的に、台車部５をリフト台部８に仮係留する。
【００１０】
着脱機構４９の係留機構部１３は、入浴リフト３のリフト台部８に搬送車２を固定する。
係留機構部１３の被係留部２２は、台車部５に設けられ、リフト台部８に設けられた係留部２１に掛止し、台車部５をリフト台部８に係留する。
入浴リフト３で載部４を上昇させるとこの作動に連動して、台車部５をリフト台部８に係留する。
入浴リフト３で、載部４を台車部５に載せると当該作動に連動して被係留部２２が解除作動し、台車部５はリフト台部８への係留を解除する。
【００１１】
着脱機構４９の合体機構部１２は、載部４を台車部５に合体する。
合体機構部１２の、載部４に設けられる被止着部２０は、台車部５に設けられる止着部１９を止着し、載部４を台車部５に合体する。
【００１２】
着脱機構４９の係止機構部１０は、載部４と移送部６に亘って設けられ、載部４を移送部６にロックする。
移送部６で係止機構部１０をロックするとこの動作に連動して止着部１９が解除作動を為し、載部４が台車部５から分離可能状態になる。
係止機構部１０から移送部６をロック解除すると当該ロック解除作動に連動して前記止着部１９が止着作用を為し、載部４が台車部５へ合体する。
【００１３】
【実施例】
図１乃至図８に示す実施例は、浴室１床に設置され、入浴者を載せる搬送車２の載部４のみを移送部６に装着し、該移送部６を浴室１床側から浴槽５７側に移動して、前記入浴者を入浴させる入浴リフト３である。
図１は本実施例装置の機能・構成を示す概念的説明図面であり、図２、５、７は本実施例装置の実物構造を示す斜視図、図３、４は本実施例装置の実物構造を示す側面図、図６は本実施例装置の実物構造を示す平面図、図８は本発明実施例に係わる装置全体を示す外観斜視図である。
【００１４】
本発明で言う移動は、移送部６がリフト支柱２９及び昇降レール部１４によって上下に昇降する縦移動し、且つ水平面に動作する横移動するものを意味し、入浴者の向きは、実施例の正面向きの他、載部４及び入浴者の向きを他の向き、例えば、左向き又は右向きに変えたものを含むものであり、リフトの横移動は、実施例の横方向スライドの他、リフト支柱が旋回して作動するものを含むものである。
【００１５】
実施例の入浴リフト３は、主に、浴槽５７に臨んで浴室１床に設置されるリフト台部８と、リフト支柱２９と、昇降レール部１４と、移送部６とから構成される。
入浴リフト３に関する搬送車２は、台車部５に載部が合体機構部１２で分離・合体する分離式であり、台車部５が浴室１床側に残り載部４のみが浴槽５７に移動されて入浴を行なう。
【００１６】
入浴に際し、搬送車２を入浴リフト３に着脱する着脱機構部４９は、台車部５をリフト台部８に係留する係留機構部１３と、移送部６に載部４を装着する装着機構部９からなる。
【００１７】
分離式の搬送車２は、載部４を台車部５に合体する合体機構部１２で分離可能に構成され、台車部５に設けられる止着部１９と、載部４に設けられる被止着部２０から構成される。
台車部５は下部にキャスター４２が設けられた台車フレーム部３４でなり、入浴者を載せる載部４を載置固定し浴室１を移動させるものである。
【００１８】
止着部１９は、載部４を直接止着保持する載部受台３５、止着フック６９、載金具７６と、そして関連するリンク機構でなる回動軸７１、フックバネ７２、フックガイド７４、フックガイド溝７５止着リンク６３・６４、止着リンク軸６７、押座部６５、当座部６６などからなる。
【００１９】
止着フック６９は板材でなり上部の曲折片は鉤作用を現わし、下部片は台車フレーム部３４にフック回動軸７１にて軸止される。
止着部１９は、止着フック６９を回動付勢するフックばね７２と、天秤状に中央が台車フレーム部３４に止着リンク軸６７で軸止され、先端に当座部６６と押座部６５が形成され、基端には突起体でなるガイド７４が突設される止着リンク６２（左止着リンク６４、右止着リンク６３）とからなる。
【００２０】
止着フック６９の下部片には長穴でなるガイド溝７５が開設され、ガイド溝７５に前記ガイド７４が摺動可能に嵌り、押座部６５が伝導リンク６１により押し下げられると、止着フック６９は回動し、曲折片は鉤作用を解除する。
伝導リンク６１が上昇し押座部６５が上方へ復元すると、止着フック６９は逆回動し、曲折片は止着金具７３に掛かり鉤作用をなす。
【００２１】
載部４側に構成される被止着部２０は、主に載部フレーム３３と止着金具７３であり、止着部１９の載部受台３５、止着フック６９、載金具７６で支持され、止着フック６９の前記鉤作用により載部４は台車部５と一体化する。
尚、合体機構部１２の他の実施例として、台車部５に被止着部２０を設け、載部４に止着部１９を設けてもよい。
【００２２】
また、本実施例の搬送車２は、載部４の座席部分が適宜旋回するリクライニング構造になっている。詳細の説明は省くが、背凭れ部４６など座席部は、載部フレーム部３３のリクライニング軸５０で軸支され、リクライニングカム８６がカム軸支部８３で背凭れ部４６に回動可能に軸支され、カムガイド８５でリクライニングが行なわれる。
【００２３】
リクライニング操作は、リクライニングカム８６を旋回作動させるリクライングロッド８２を背凭れ部４６上部の連結軸支部７９、レバー軸支部７８、リクラインングガイド８０、リクライニングガイド溝８１で支持されたリクライニングレバー７７を操作して行なわれる。
【００２４】
入浴リフト３のリフト台部８に搬送車２を固定する係留機構部１３は、台車部５に設けられた被係留部２２と、装着機構部９の下方に位置するリフト台部８の前部分に設けた搬送車２の台車部５を係留する係留部２１とからなる。
【００２５】
また、係留機構部１３は、搬送車２の台車部５をリフト台部８前の所定位置の導入する位置決め機能９２の「導入ガイド３１／進入ガイド２４／ストッパー２５」と、所定位置に導入された台車部５を仮係留する仮係留機能９３の「係留ロッド３２／係留金具２６」と、前記所定の仮係留位置で台車部２をリフト台部８の設置固定部８９に固定して係留する固定係留機能９４の「係留受け金具４１／係留鉤３７」との三部分の機能要素から構成される。
【００２６】
すなわち被係留部２２は、設置固定部８９と導入ガイド３１と係留ロッド３２と係留受金具４１とから構成され、被係留部２２は、台車部５の後部に進入ガイド２４とストッパー２５と、そして仮係留機能９３の係留金具２６と固定係留機能９４の係留鉤３７とから構成されている。
【００２７】
被係留部２２の係留鉤３７は、台車部５の台車フレーム部３４の先部に、後方へ突出し先端が上向きに曲折して、回動可能に係留軸３８で軸止されて設けられる。係留鉤３７は上向きに回転付勢する鉤ばね４０と、係留鉤３７に立設された解除ロッド３６とからなる。
解除ロッド３６は、台車部５に載部４が載ると、該載部４で下方に押され、係留鉤３７と共に下方に回動する。
【００２８】
入浴リフト３のリフト台部８に搬送車２を導入し位置決めする位置決め機能９２は、リフト台部８の導入ガイド３１に向かって押込まれる台車部５後方の進入ガイド２４が嵌装するようにドッキングしてストッパー２５に当接し位置決めが行なわれる。
【００２９】
入浴リフト３の所定位置に搬送車２を仮係留する仮係留機能９３は、前記位置決め導入を行なうと同時に、台車部５に設けられる係留金具２６と、リフト台部８に設けられる係留ロッド３２との係止により形成される軽い拘束状態の簡易保持機能である。導入ガイド３１とストッパー２５当接する直前に係留金具２６の鉤部（保持部３０）に係留ロッド３２が嵌り込み、係留金具２６は仮係留バネ２８の反力で係留ロッド３２を係止する。
【００３０】
台車フレーム部３４の後部に台車板２３が取着され、台車板２３に係留金具２６が係留軸２７で軸支される。係留金具２６は仮係留ばね２８で回転付勢され、凹部でなる保持部３０を有する。
リフト台部８に向けて台車部５の後部を押し当てると、係留金具２６の保持部３０に係留ロッド３２が保持され、台車部５がリフト台部８に仮係留される。
仮係留状態で、台車部５は所定位置に保持し床勾配などにより生ずる軽い力では搬送車２は停車状態を維持するが搬送車２を引き出すなどの力を加えると係留金具２６は係留バネ２６に抗して外に開き係留ロッド３２から外れ仮係留は解除される。
【００３１】
即ち、台車部５に載部４が止着され搬送車２が一体で仮係留している状態では、係留鉤３７が下方に開いておりリフト台部８側の係留受金具４１に掛かっておらず、搬送車２を仮係留している搬送車２の引き出し可能な保持状態である。固定係留機能９４により係留鉤３７が上方に閉じられ係留受金具４１にロックすることにより台車部５がリフト部８の係留部２１に完全に連結固定される係留状態となる。即ち、台車部５を係留している固定係留状態である。
固定係留機能９４は、後述の如く、搬送車２がリフト台部８に仮係留されている状態で、移送部６に係止された載部４を台車部５から離脱させることにより解除ロッド３６が作動し機能する。
【００３２】
装着機構部９は、移送部６と載部４に亘って設けられ、移送部６を載部４に装着するものであり、載部４の背凭れ４６上部を移送部６に係止する係止機構部１０と、背凭れ４６下方の当止部１８で載部４の荷重を受ける受止機構部１１とからなる。
【００３３】
係止機構部１０は、載部４に設けられる被係止部１６と、移送部６に設けられ前記被係止部１６に係止する係止部１５とからなる。受止機構部１１は、載部４に設けられる当止部１８と、移送部６に設けられる受座部１７とからなる。
被係止部１６と当止部１８とで被装着部９１が構成され、係止部１５と受座部１７とで装着部９０が構成される。
【００３４】
被係止部１６は、背台板５３で凭れ部４６に設けられる掛止鉤部５２と、掛止鉤部５２に係止部１５を係止すると背凭れ部４６側に回動する、操作ロッド５５が設けられているロック金具５４と、ロック金具５４にリンクされる伝導リンク６１とからなる。
【００３５】
ロック金具５４は、Ｌ字形状の硬性板状材でなり掛止鉤部５２にロック軸５６で軸止される。ロック金具５４のＬ字形下片に伝導リンク６１の上端がロック伝導軸５９で旋回可能に軸止される。
【００３６】
前記ロック金具５４の上部が係止部１５の吊金具７０で背凭れ部４６側へ押されるとロック金具５４が背凭れ側に回動し、ロック金具５４のＬ字形下片のロック伝導軸５９が下方へ動く。この時、伝導軸５９は伝導リンク６１を押し下げ、該伝導リンク６１は当止部１８のピンガイド９５と長穴９６で規制されてスライドしながら下降し、下端のガイド部で押座部６５を押し下げる。押座部６５を押し下げると止着リンク６４が作動し止着部１９が止着金具７３から外れて合体機構部１２を解除作動する。
【００３７】
従って、係止機構部１０をロックさせ、載部４を移送部６に係止させると、この動作に連動して止着フック６９が外れ、載部４が台車部５から分離可能な状態となる。
【００３８】
入浴リフトの昇降レール部１４に横移動可能に吊り下げられている移送部６に設けられている係止部１５は、固定されたスイング軸８７にスイングレバー３８回動可能に軸支される。スイングレバー３８の下端には吊金具７０が設けられ上端にはスイングハンドル８８が設けられている。
【００３９】
手動で係止部１５のハンドル８８を回動させて吊り金具７０を掛止鉤部５２の凹部へ押し込むとバネ５８で付勢されているロック金具５４が背凭れ部４６側へ押込まれ、吊り金具７０が、掛止鉤５２凸溝部の下面とロック金具５４上端部のロック凹部５４ａとで挟まれ、掛止鉤部５２にロックされ、移送部６により載部４を吊り下げ昇降など入浴移送を行なっても外れることはない。
【００４０】
上部を吊り下げる載部４の荷重モーメントを受ける受止機構部１１は、係止機構部１０の下方に設けられた当止部１８と、移送部６の最下部に設けられ当止部１８を受け止める受座部１７とで構成される。
【００４１】
移送部６は、リフト支柱２９により昇降する移送機構部７により、水平方向へ移動可能に構成されて、昇降レール部１４に吊り下げ支持されている。入浴者を載せる載部４を、移送部６に装着し、昇降レール部１４の昇降機構部（図示省略）及び移送機構部７により、浴室１床から浴槽５７間を昇降・横移動し、入浴移動が可能である。
【００４２】
移送部６に係止された載部４を上昇させるとこの動作に連動して、解除ロッド３６の押えている載部フレーム部３３が外れ、鉤バネ４０で付勢されている係留鉤３７が係留受金具４１にロックし、台車部５がリフト台部８に固定係留される。移送部６に係止された載部４を下降させ再び台車部５に載せると、当該作動に連動して被係留部２２が解除作動し、係留鉤３７は外れ、台車部５はリフト台部８への係留を解除する
【００４３】
図２中、３５は載部受台、３９は係留軸、６８は連結バー、７４はフックガイド、７５はフックガイド溝、７６は載金具、図４中、４３は枕、４７は座部、５０はリクライニング軸、６０はアーム固定台、図５中、５３は台板、８０はリクライニングガイド、７７はリクライニングレバー、７８はレバー軸支部、７９は連結軸支部、８１はリクライニングガイド溝、８２はリクライニングロッドである。
【００４４】
図６中、２４は進入ガイド、２５はストッパー、図７中、４４はアームレスト、４５はフットレスト、４８は取手、５１は載部止具、８３はカム軸支部、８４はリクライニング軸、８５はカムガイド、８６はリクライニングカム、８８はスイングハンドル、図８中、９７は操作部である。
【００４５】
実施例を用いて、入浴者を入浴させるに際し、入浴者を搬送車２に乗せる。入浴者を乗せた搬送車２をリフト台部８の手前まで運んでくる。
【００４６】
次に、搬送車２をリフト台部８手前の所定位置に押し込んで台車部５をリフト台部８の係留部２１へ当接し仮係留機能９３を機能させ仮係留する。
同時に、移送部６の係止部１５へ、搬送車２の被係止部１６を接近させる。
【００４７】
続いて、手動で、係止部１５を、被係止部１６の凹部に嵌めロックする（即ち、ロック作動）。この時、同時に、ロック金具５４を、背凭れ部４６側に押し回動させる。
ロック金具５４の回動により伝導リンク６１が下方へ動き、止着リンク６２を回動させる。
【００４８】
止着リンク６２が回動すると、止着フック６９が回動し鉤作用を解除する。載部４と台車部５との係留が解除され、載部４は台車部５から分離可能状態になる。即ち、前述係止機構１０のロック作動に連動して載部４は台車部５から分離する。
【００４９】
続いて、前記昇降駆動部を作動させて移送部６を上昇させる。
載部４が台車部５から離れると、載部フレーム部３３で押えられ傾斜状に回動していた解除ロッド３６が、鉤ばね４０の復元力で起立し、同時に係留鉤３７も水平方向へ復元回動する。復元した係留鉤３７の鉤部３７ａが、係留受金具４１に係止し、台車部５がリフト台部８に係留する。この時、仮係留から固定係留に移行したのである。
【００５０】
即ち、載部４の上昇に連動して台車部５がリフト台部８に固定係留する。
移送部６を、所定高さに上昇させた後、横用駆動部（図示省略）を作動させて浴槽５７上へ向けて横移動させる。
次に、移送部６を下降させ、入浴者及び載部４を浴槽５７へ浸け、入浴する。
【００５１】
退浴の際は、移送部６を、上昇させ、続いて、横移動させ、リフト支柱２９の正面へ戻す。
次に、移送部６を下降させ、載部４を台車部５の上に載せ、搬送車２を合体させる。
【００５２】
載部４を台車部５の上に載せると、載部４の重力により押され解除ロッド３６が回動し、被係留部２２が係留作用を解除する。尚、仮係留は為された侭であり、搬送車２が自重などにより勝手に動くことはない。
【００５３】
介助者が、ロック金具５４を背凭れ部４６側へ押し、ロックを解除し、操作ロッド５５を移送部６側へ引き被係止部１６から係止部１５を外す。係止部１５を外した後操作ロッド５５はロックばね５８の復元力によって移送部６側へ回動する。
【００５４】
前述のロックを解除すると、ロック金具５４がロックばね５８の復元力によって回動し、伝導リンク６１が上方に動き、止着リンク６２が回動し、止着フック６９がフックばね７２の復元力によって回動し、止着フック６９の鉤作用が働き、載部４と台車部５が分離不能に止着され両部材が合体する。
【００５５】
介助者は、リフト台部８から搬送車２を引くと、仮係留ばね２８に抗して係留金具２６が回動し係留ロッド３２から外れ、搬送車２はリフト台部８との仮係留が解け、搬送車２はリフト台部８から解放される。
【００５６】
【発明の効果】
本発明は、リフト台部８に向けて台車部５を押し当てると保持部３０に係留ロッド３２が保持され、台車部５がリフト台部８に仮係留されるから、搬送車２を所定位置（即ちドッキング位置）に待機させたとき仮係留でき、被係止部１６をもって係止操作をするまでの間搬送車２が仮係留されているため、床勾配等により搬送車２が動くことはなく、安全であり、安心して操作でき、好都合である。
【００５７】
本発明は、入浴リフト３で載部４を上昇させるとこの動作に連動して、台車部５がリフト台部８に係留されるものであるから、係留作用が入浴リフト３の昇降動作に連動しているため介助者は、台車部５をリフト台部８へ係留する操作又は係留解除操作が不要であり、操作ミスが少なくなり、好都合である。
【００５８】
又、入浴操作を簡略化でき、更に、載部４下降時に台車部５がずれることがないため安全性が高く、好都合である。
更に、入浴リフト３と搬送車２との係留状態を検出するためのセンサー等の電気的な機構を一切搭載していないため、故障が少なく、又、メンテナンスも性も高く、更に、安全性も高く、好都合である。
【００５９】
本発明は、移送部６を係止機構部１０にロックさせるとこの動作に連動して載部４が台車部５から分離するものであるから、誤操作によって載部４が台車部５から転落することは無く安全性が高くなり、又、手動による毎回の台車部５から載部４を分離する操作又は合体させる操作が不要であり簡便性が高くなり、好都合である。
【００６０】
更に、入浴リフト３と搬送車２との係止状態を検出するためのセンサー等の電気的な機構を一切搭載していないため、故障が少なく、又、メンテナンスも性も高く、更に、安全性も高く、好都合である。
【図面の簡単な説明】
【図１】本発明の実施例の概略左側面図である。
【図２】本発明の実施例の台車部の斜視図である。
【図３】本発明の実施例の係留機構部の部分左側面図である。
【図４】本発明の実施例の係止機構部の左側面図である。
【図５】本発明の実施例の係止機構部の拡大部分左側面図である。
【図６】本発明の実施例に係る仮係留機構部の部分平面図である。
【図７】本発明の実施例に係る搬送車の斜視図である。
【図８】本発明の実施例に係る入浴リフト及び搬送車の外観斜視図である。
【符号の説明】
２　　搬送車
３　　入浴リフト
４　　載部
５　　台車部
６　　移送部
８　　リフト台部
１０　　係止機構部
１２　　合体機構部
１９　　止着部
２０　　被止着部
２１　　係留部
２２　　被係留部
２６　　係留金具
２８　　仮係留ばね
３０　　保持部
３２　　係留ロッド
【図１】
2004097480.tif 000003
【図２】
2004097480.tif 000004
【図３】
2004097480.tif 000005
【図４】
2004097480.tif 000006
【図５】
2004097480.tif 000007
【図６】
2004097480.tif 000008
【図７】
2004097480.tif 000009
【図８】
2004097480.tif 000010